(57)【要約】      （修正有）【課題】草刈り機に簡単に取り付けることが可能であり、かつ、軽量で構造が簡単で、取扱いが楽な草刈り機用補助具を提供する。【解決手段】外径が取り付ける草刈り機の円盤状の刃の直径よりも小さい直径を有するドーナツ型の円盤１であって、このドーナツ部は全周に亘り丸樋状の溝２が形成されており、このドーナツ部の一か所３から上に向かうＬ字状のアーム部４が延設されていて、アーム部４の上端には取り付ける草刈り機の竿に固定するための保持部５が設けられている。【選択図】図１
0003167503.tif 000002
【実用新案登録請求の範囲】
【請求項１】
外径が取り付ける草刈り機の円盤状の刃（１１）の直径よりも小さい直径を有するドーナツ型の円盤（１）であって、このドーナツ部は全周に亘り丸樋状の溝（２）が形成されており、このドーナツ部の一か所（３）から上に向かうＬ字状のアーム部（４）が延設されていて、アーム部（４）の上端には取り付ける草刈り機の竿に固定するための保持部（５）が設けられていることを特徴とする草刈り機用補助具。
【考案の詳細な説明】
【技術分野】
【０００１】  草刈り機用補助具に関する
【背景技術】
【０００２】  現在、広く使用されている手動式草刈り機は、竿の一端に草刈り用の刃（１１）を設置し、もう一方の端にこの草刈り刃（１１）を駆動する動力装置（エンジン、又はモーター）を装着しており、重量がある動力装置側には作業者の肩に平帯状のロープでこの動力装置を支えられるように工夫されているが、草刈り刃（１１）の方には支える装置がなく作業者が竿に付いているハンドルでこの草刈り刃（１１）を地面より少し高めに持ち上げながら、草刈り作業をするのが一般的であり、この草刈り刃（１１）を作業中、常に地面より一定の高さに保ちながら草刈り作業するという事が作業者の苦痛の原因となっているのが実態である。
【考案の概要】
【考案が解決しようとする課題】
【０００３】  この草刈り刃（１１）を一定の高さに保つという苦痛の原因となっている作業をなくすことで、この不具合を解決しようとするものである。
【課題を解決するための手段】
【０００４】  本考案は上記の不具合を解決するためになされたものであり、外径が取り付ける草刈り機の円盤状の刃（１１）の直径よりも小さい直径を有するドーナツ型の円盤（１）であって、このドーナツ部は全周に亘り丸樋状の溝（２）が形成されており、このドーナツ部の一か所（３）から上に向かうＬ字状のアーム部（４）が延設されていて、Ｌ字状のアーム部（４）の上端には取り付ける草刈り機の竿に固定するための保持部（５）が設けられている特徴を有する草刈り機用補助具である。【０００５】  この草刈り機用補助具の材料としては種々考えられるが、軽量化及び強度面から考えるとアルミ合金鋳鉄製が好ましい。
この草刈り機用補助具を草刈り機の竿に取り付けるには、保持部（５）としては、例えば、図１及び図２に示すように上下二分割型にして、下部はアーム部（４）に直結させ、上部は別体とし、この上下二部品をボルト、ナットで結合するようにする形式が挙げられる。【０００６】  この草刈り機用補助具は上述のように草刈り機に取り付け、草刈り作業をするが、この時、作業者は草刈り機を地面より持ち上げる必要がなく、この草刈り機用補助具を地面に接地させて作業を行うことが出来るために作業者には余分な労力を費やす必要がなくなり、作業者の疲労軽減につながるようになっている。【０００７】  この時、ドーナツ型の円盤（１）の地面と接触する部位は丸樋状の溝（２）の下面であり、その形状は円弧状であるために、地面に対しては線接触となり摩擦抵抗が少ない状態になり、操作がし易く、加えて地面の凹凸や傾斜及び段差等に追随し易い形状であるために、さらに操作がし易くなっている。【０００８】  ドーナツ型の円盤（１）は草刈り機の草刈り刃（１１）の外径よりも小さい径となっているために草刈り作業には、全く支障がなく、又、草刈り刃（１１）の下部にあるために地面に散在している小石や木片等の障害物に草刈り刃（１１）を当てることが無くなるために草刈り刃（１１）の破損が防げるだけでなく、草刈り刃（１１）が小石や木片等に当たり、それらを周囲に飛散させるという不具合を未然に防止出来る効果がある。
このドーナツ型の円盤（１）は中心部が大きな開口部になっているために、草刈り刃（１１）を交換する必要が発生した時に、この草刈り機用補助具を草刈り機から取り外すことなく、開口部に手を入れて、草刈り刃（１１）を容易に交換できる特徴がある。
【考案の効果】
【０００９】  上述のように草刈り機の竿に取り付けられ、草刈り刃（１１）の下面にセットされた草刈り機用補助具によって、作業者は草刈り機を地面に接触しないように配慮しながら持ち上げる必要がなく、草刈り機を地面において楽に作業が出来るだけでなく、草刈り刃（１１）が地面に接触するという心配がなくなるので、安心して作業が出来るために作業中の精神的及び肉体的疲労が大幅に軽減されることになる。
又、草刈り刃（１１）が地面に接触しないために草刈り刃（１１）が地面に散在している小石や木片等の障害物に当たらないために、それらを飛散させて周囲の作業者や通行人及び建物や器物等に被害を与えるという事故を未然に防止出来るだけでなく、草刈り刃（１１）の破損防止にも効果がある。
加えて、ドーナツ型の円盤（１）は丸樋状の溝（２）が形成されており、その下面は円弧状であるために、地面に対しては線接触となり、摩擦抵抗が少なく、かつ、地面の凹凸や傾斜及び段差等に対しても追随し易いという特徴がある。
又、ドーナツ型の円盤（１）の中心部は大きな開口部になっているために、草刈り刃（１１）を交換する必要が生じた時にこの草刈り機用補助具を草刈り機から外すことなく、草刈り刃（１１）を交換出来るという特徴を有している。
【図面の簡単な説明】
【００１０】
【図１】本考案の草刈り機用補助具の説明図である。
【図２】本考案の草刈り機用補助具の草刈り機への装着状態図である。
【考案を実施するための形態】
【実施例】
【００１１】  以下、図面を用いて実施例を説明する。
図１は草刈り機用補助具全体を示しており、材質はアルミ合金鋳鉄製で製作した。【００１２】  ドーナツ型の円盤（１）の外径は、草刈り刃よりも小さい直径とするために１５０ｍｍとした。又、その開口部の内径は草刈り刃の交換がし易いように大きくし、１００ｍｍとした。
丸樋状の溝（２）の深さは、１０ｍｍとした。【００１３】  Ｌ字状のアーム部（４）は、ドーナツ型の円盤（１）の１か所から水平部（４１）７０ｍｍとし、垂直部（４２）９０ｍｍとし、Ｌ字状のアーム部（４）の幅は５０ｍｍとし、肉厚は６ｍｍとし、水平部（４１）はドーナツ型の円盤（１）の下部から１５ｍｍ浮かせる構造とした。又、Ｌ字状のアーム部（４）の補強のためにＬ字状のアーム部の両端に厚さ６ｍｍのリブ（４３）を設けて強度確保をした。【００１４】  保持部（５）は、上下２つの部品で構成し、各々は草刈り機の竿を収める半円状の凹部を有し、その内径は２６ｍｍとし、肉厚は６ｍｍとした。又、保持部の全長は９０ｍｍとし、この上下２つの部品はボルト、ナットで締めつける構造とした。【００１５】  以上からこの草刈り機用補助具は、構造が簡単であり、かつ、重量は４５０ｇｒと軽量化が図られた。【００１６】  保持部（５）は、４本のボルト、ナット及びバネ座金で固定した。
【産業上の利用可能性】
【００１７】  農作業、道路整備作業だけでなく、住宅地の清掃作業等においても広く行われているこの草刈り作業の疲労軽減対策に対して、非常に有効な手段であると判断しているので広い使用が期待できる。
【符号の説明】
【００１６】  １          ドーナツ型の円盤
２          Ｕ字状の溝
３          ドーナツ部の一か所
４          アーム部
４１          水平部
４２          垂直部
４３          リブ
５          保持部
【図１】
0003167503.tif 000003
【図２】
0003167503.tif 000004